(57)【要約】【課題】  処理対象となる領域とその領域に対する処理内容を、ユーザが規則に従って処理指示書に記入を行い、読み込ませることで装置に認識させるが、ユーザが規則に従って処理指示書に記入を行い、処理対象となる領域とその領域に対する処理内容を、装置に読み込ませることで認識させるが、ユーザが手書きで記入する際の規則を適宜変更できない。【解決手段】  画像データを読み取る読み取り手段、前記画像データにおいて手書きで囲まれた領域と、該手書き部分の色に対応付けられた処理を認識する認識手段と、前記認識手段によって認識された結果を、前記画像データに対応させて表示する表示手段と、前記認識手段にて認識する前記手書き部分の色と前記処理の内容の対応付けを変更する変更手段、を有することを特徴とする画像処理装置。【選択図】  図１２
2010211465.tif 000002
【特許請求の範囲】
【請求項１】
画像データを読み取る読み取り手段、
前記画像データにおいて手書きで囲まれた領域と、該手書き部分の色に対応付けられた処理を認識する認識手段と、
前記認識手段によって認識された結果を、前記画像データに対応させて表示する表示手段と、
前記認識手段にて認識する前記手書き部分の色と前記処理の内容の対応付けを変更する変更手段、
を有することを特徴とする画像処理装置。
【請求項２】
前記変更を指示するための変更用紙を出力し、
前記読み取り手段により手書き部分の色と処理の内容との対応付けの変更の指示が記載された前記変更用紙を取り取り、
前記変更用紙から前記手書き部分の色情報の取得を行い、
前記手書き部分の色と処理についての対応付けを変更することを特徴とする請求項１に記載の画像処理装置。
【請求項３】
前記色情報を取得する際、
前記出力された変更用紙上の色が、前記変更用紙に手書きされた手書き部分の色として前記画像処理装置に設定された範囲の色の場合は、再度手書き部分の色と前記処理の内容との対応付けの変更を行うか否かを選択させるための表示を行うことを特徴とする請求項２に記載の画像処理装置。
【請求項４】
前記色情報を取得する際、
前記変更用紙に手書きされた手書き部分に用いられる複数の色の中で少なくとも２色が近い色と判定される前記画像処理装置に設定された範囲内の場合は、再度対応付けの変更を行うまたは変更に用いられた色が示す色の範囲を狭くすること
を特徴とする請求項２に記載の画像処理装置。
【請求項５】
前記表示手段において、認識された結果が所定の回数以上正しくないと判断された場合のみ前記変更手段による手書き部分の色と処理の内容との対応付けの変更を行うことを特徴とうする請求項１に記載の画像処理装置。
【請求項６】
画像データを読み取る読み取りステップ、
前記画像データにおいて手書きで囲まれた領域と、該手書き部分の色に対応付けられた処理を認識する認識ステップと、
前記認識ステップによって認識された結果を、前記画像データに対応させて表示する表示ステップと、
前記認識ステップにて認識する前記手書き部分の色と前記処理の内容の対応付けを変更するステップ、
を有することを特徴とする画像処理装置の制御方法。
【請求項７】
前記変更を指示するための変更用紙を出力し、
前記読み取りステップにより手書き部分の色と処理の内容との対応付けの変更の指示が記載された前記変更用紙を取り取り、
前記変更用紙から前記手書き部分の色情報の取得を行い、
前記手書き部分の色と処理についての対応付けを変更することを特徴とする請求項６に記載の画像処理装置の制御方法。
【請求項８】
前記色情報を取得する際、
前記出力された変更用紙上の色が、前記変更用紙に手書きされた手書き部分の色として前記画像処理装置に設定された範囲の色の場合は、再度手書き部分の色と前記処理の内容との対応付けの変更を行うか否かを選択させるための表示を行うことを特徴とする請求項７に記載の画像処理装置の制御方法。
【請求項９】
前記色情報を取得する際、
前記変更用紙に手書きされた手書き部分に用いられる複数の色の中で少なくとも２色が近い色と判定される前記画像処理装置に設定された範囲内の場合は、再度対応付けの変更を行うまたは変更に用いられた色が示す色の範囲を狭くすること
を特徴とする請求項７に記載の画像処理装置の制御方法。
【請求項１０】
前記表示ステップにおいて、認識された結果が所定の回数以上正しくないと判断された場合のみ前記変更ステップによる手書き部分の色と処理の内容との対応付けの変更を行うことを特徴とうする請求項６に記載の画像処理装置の制御方法。
【請求項１１】
コンピュータに、請求項６項に記載の方法を実行させるためのプログラム。
【発明の詳細な説明】
【技術分野】
【０００１】
本発明は、媒体上に書き込まれた処理指示を認識するための画像形成装置および画像処理方法、プログラムに関する。
【背景技術】
【０００２】
従来から、コンピュータを用いてスキャナによる用紙の読取画像を解析し、紙面上に記載された文字等を認識する技術がある。この技術を利用すれば、例えば多数の帳票に対して記載された金額や日付等を容易に抽出することができ、また抽出したデータを集計等の処理に入力させることができる。ただし、以上の処理を自動化するためには、紙面上のどの位置にどのような種類のデータがあるのかをコンピュータに指示する必要がある。
【０００３】
従来においては、例えば、処理対象の答案用紙と、答案用紙フォームに処理すべき記入欄と記入欄への書込内容に対する処理を指示する処理指示情報が記入された処理指示書とを一連の読取処理により読み取る。処理指示書の読取データから処理指示情報を検出し解析することによって、紙面上における処理対象とする書込領域と、各書込領域に対する処理内容を認識する技術があった（例えば、特許文献１）。
【先行技術文献】
【特許文献】
【０００４】
【特許文献１】特開２００８−１４５６１１号公報
【発明の概要】
【発明が解決しようとする課題】
【０００５】
しかしながら、前述の方法では、ユーザが規則に従って処理指示書に記入を行い、処理対象となる領域とその領域に対する処理内容を、装置に読み込ませることで認識させるが、ユーザが手書きで記入する際の規則を適宜変更できないという課題がある。
【課題を解決するための手段】
【０００６】
本発明の画像処理装置は、画像データを読み取る読み取り手段、前記画像データにおいて手書きで囲まれた領域と、該手書き部分の色に対応付けられた処理を認識する認識手段と、前記認識手段によって認識された結果を、前記画像データに対応させて表示する表示手段と、前記認識手段にて認識する前記手書き部分の色と前記処理の内容の対応付けを変更する変更手段、を有することを特徴とする。
【発明の効果】
【０００７】
複数の処理方法に対応する指示色を、一度に変更することが可能となり、ユーザの利便性を向上させることが出来る。さらに、ユーザが手書きで実際の紙に任意の色ペンを用いて記入を行いその紙をスキャナが読み取ることで指示色の変更を行うため、様々な色ペンを用いることが可能となると共に、装置が処理指示情報を取得する際の指示色の判定を、精度良く行うことが出来る。
【図面の簡単な説明】
【０００８】
【図１】本発明の実施形態に係る画像処理装置の構成を示すブロック図である。
【図２】本実施形態における処理対象の原稿の例を示す図である。
【図３】本実施形態におけるスキャンチケットを作成する処理の流れを示すフローチャートである。
【図４】本実施形態におけるスキャンチケットを用いて原稿のチェックを行う処理の流れを示すフローチャートである。
【図５】処理指示書の一部を拡大した図
【図６】ＱＲコードの例を示した図
【図７】サムネイル画像生成処理のフローチャート
【図８】サムネイル画像の例を示した図
【図９】スキャンチケットの例を示した図
【図１０】指示色変更処理のフローチャート
【図１１】指示色変更用紙の例を示した図
【図１２】スキャンチケット作成処理のフローチャート
【発明を実施するための形態】
【０００９】
以下、本発明を実施するための最良の形態について図面を用いて説明する。
【実施例１】
【００１０】
図１は、本発明の実施形態の一例である画像処理装置の構成を示すブロック図である。本実施形態における画像処理装置１００は、コピー機能、スキャナ機能等各種機能を搭載した複合機を例に示すが、これらの機能を複数の装置を連携させて実現するようにしてもよい。
【００１１】
ＣＰＵ１１は、ＲＯＭ１９に格納されたプログラムを、ＲＡＭ１８にロードすることによって画像処理装置１００全体の動作を制御する。また、ＣＰＵ１１は、バス１２を介して画像処理装置１００内の各構成と通信を行う。操作部１６は、ユーザが指示を行うための複数のキー、ユーザに通知すべき各種情報を表示する表示部を含む。スキャナ１５は、ユーザが原稿台にセットした原稿上の画像をカラー画像として読み取り、これによって得た電子データ（画像データ）をＨＤＤ１３、ＲＡＭ１８等に蓄積する。ＨＤＤ１３は、ハードディスクを含むハードディスクドライブであり、入力された各種情報を格納する。また、スキャナ１５は、原稿給送装置を含み、原稿給送装置にセットされた複数枚の原稿を順次原稿台上に給送し、読み取ることも可能である。プリンタ１４は、入力された画像データに基づく画像を、記録紙（シート）上に印刷する。ネットワークＩ／Ｆ１７は、画像処理装置１００をネットワーク２０に接続し、ネットワーク上の外部装置からのデータの受信、ネットワーク上の外部装置へのデータの送信を制御する。
【００１２】
なお、本実施形態では、後述する処理に用いる画像データを、スキャナ１５を介して入力するものを例に説明するが、例えば外部機器から送られてくる原稿の画像データを、ネットワークＩ／Ｆ１７を介して入力しても同様に処理可能である。また、スキャナやプリンタが接続されたパーソナルコンピュータ（ＰＣ）等においても同じように処理することが可能である。この場合、本実施形態で用いるプログラムの全部または一部を、ネットワーク等を介してＰＣに提供したり、ＣＤ−ＲＯＭ等の記憶媒体に格納してＰＣに提供したりすることが可能である。
【００１３】
次に、本実施形態において用いる原稿の例について説明する。
【００１４】
図２（ａ）は、本実施形態において用いる原稿のフォームの例を示した図である。本原稿は、ユーザが何も記入していない（後述する処理指示情報が付加される前の）状態の請求書である。この請求書には、相手先の会社名、相手先の担当者、件名、合計金額、品名、数量、単位、単価、金額、振込先銀行情報、小計、消費税などの税金、備考欄、発行者の印を押す領域などが設けられている。この請求書を正式に発行する時にユーザが情報を追加する欄としては、件名、品名や数量、単位、単価、金額、また作成者の印等がある。
【００１５】
本実施形態では、この請求書の各欄のうち、ユーザによって指定されたある欄には情報が追加され、別のある欄は空欄となっているかをチェックするものとする。
【００１６】
図２（ｂ）は、図２（ａ）の原稿に含まれる各項目のうち、チェックを行わせるための任意の領域をユーザが色ペンを用いて付加した例を示す図である。図２（ｂ）に示した原稿が処理指示書となる。
【００１７】
処理指示書は、作成した請求書をチェックするユーザが、チェック対象の請求書と同一形式の用紙に後述する処理指示情報を書き込むことで作成される。つまり、図２（ａ）に示した請求書に処理指示情報が書き込まれたものが、処理指示書となる。本実施形態では、ユーザが処理対象とする領域を指定するために手書きで色ペン等を用いて該当領域を矩形等の閉領域として囲む。
【００１８】
ここで、請求書（原稿）に書き込む処理指示情報（付加情報）について説明する。図２（ｂ）において、例えば、領域３１は青い色のペンで書き込んだ領域で、領域３２は緑色のペンで書き込んだ領域で、領域３３は赤色のペンで書き込んだ領域とする。なお、ここに示した色以外の色を使うことも可能であり、また、３色に限らず、チェック内容に応じて色の種類を減らしたり、増やしたりしてもよい。また、ここではペンを用いているが色を付けられるものであればペンに限ることはない。
【００１９】
そして、ユーザは事前に使用すべき処理指示情報の色の情報と処理内容とを、それぞれ対応付けて操作部１６を用いてＲＡＭ１８に登録する。即ち、青色に対しては空欄であることをチェックすることを、緑色に対して情報の記載があることをチェックすることを、赤色に対して捺印またはサインがあることをチェックすることをそれぞれＲＡＭ１８に登録する。ＣＰＵ１１は、ここで登録された各色の色成分（例えば、色相等）を判定し、その内容をＲＡＭ１８に記憶させる。なお、色の登録は、操作部１６を用いて行うのに代えて、用紙に書き込んだものをスキャナ１５によって読み取らせて登録するものであってもよい。また、ユーザが登録するのに代えて、画像処理装置１００に予め登録されているものとしてもよい。予め登録された内容に従う場合、ユーザは登録されている色と処理内容とに従って原稿に処理指示情報を付加する。
【００２０】
このように、使用すべき処理指示情報の色成分とそれに対応した処理内容を登録しておき、これに従った処理指示書を作成する。これを用いて、処理指示情報を抽出し、この抽出結果に応じて処理内容を認識することによって、画像処理装置１００はチェック対象の原稿について、原稿の特定の領域に情報があるかどうか、空欄かどうか、印（捺印等）があるかどうか、をチェックする。
【００２１】
図２（ｃ）は、本実施形態において用いるチェック対象の原稿の例を示した図である。チェック対象の原稿は、図２（ａ）、（ｂ）と同一の形式の原稿に基づくものであることを前提とする。本実施形態では、図２（ｂ）のように付加された処理指示情報を抽出し、抽出結果に従い、領域４１に記載がない、つまり空欄であること、領域４２に記載があること、領域４３に印があることをもって正常である判定する。図２（ｃ）は、正常と判定するための条件を全て満たした例なので、当該原稿のチェック結果は正常となる。そして、１箇所でも正常と判定する条件を満たさない原稿のチェック結果はＮＧとなる。なお、チェックの内容や領域は、これに限られるものではなく、他のチェック内容の指示や他の領域に対しての指示も可能である。
【００２２】
次に、図２（ｂ）に示したような処理指示書に基づき、原稿の記載内容のチェックを実行させるためのスキャンチケットを作成する処理について説明する。ここで、スキャンチケットとは、図２（ｂ）の指示内容を認識し、図２（ｃ）等のようなチェック対象の原稿のチェック方法を画像処理装置１００が認識可能な形式（例えば、ＱＲコード）としたチケットである。スキャンチケットには、図２（ｂ）の原稿から認識した指示内容、この指示内容を適用する領域の位置情報などが含まれる。チェック対象の原稿のチェックを行う際は、スキャナ１５によりスキャンチケットを読み取って処理内容をＣＰＵ１１により認識させたうえで、チェック対象の原稿をチェックさせる。
【００２３】
本実施例における前記スキャンチケット作成処理を詳細に説明する。図３は、本実施例におけるスキャンチケット作成処理のフローチャートである。また、図５は、処理指示領域３１を拡大したもの、図６は、処理指示情報をエンコードしたＱＲコードの一例である。
【００２４】
図３は、本実施形態におけるスキャンチケットを作成する際の処理の流れを示すフローチャートである。このフローチャートは、ＣＰＵ１１が、ＲＯＭ１９に格納されたプログラムをＲＡＭ１８にロードして実行する処理の流れを示す。
【００２５】
ユーザにより操作部１６を介してスキャンチケット作成の指示がなされると本フローが開始される。本フローが開始されると、ＣＰＵ１１は操作部１６に、ＲＡＭ１８に登録されている処理指示情報の指示色（以下、単に指示色という）と処理内容の組合せを表示させる（ステップ５０１）。例えば、「赤色で囲まれた領域内に捺印やサインがあればＯＫとします」、「青色で囲まれた領域内が空欄であればＯＫとします」、「緑色で囲まれた領域内に記載があればＯＫとします」などを表示する。さらに、ＣＰＵ１１は、操作部１６に、ステップ５０１で表示した指示色と処理内容で良いかどうかをユーザに問合せる表示を行わせる（ステップ５０２）。
【００２６】
ステップ５０２の問合せに対し、ユーザから操作部１６を介して否定する旨の指示がなされたと判定すると、ＣＰＵ１１は、指示色と処理内容の組合せの変更を行う旨の表示を操作部１６に行わせる（ステップ５０５）。ここでは、いずれの色を変更するかを問合せる表示を行い、指示された色に代えて新たな色を提示するものでもいいし、ユーザが操作部１６によって任意の色を指定するようにしてもよい。また、新たな色とするのではなく、単に色と処理内容の組合せを変更するだけでもよい。このときにＣＰＵ１１は、同じ色で異なる処理内容の指示を行うことはできないので、１つの色に対して１つの処理内容となるように制御を行う。ステップ５０５で指示色あるいは処理内容、また、指示色と処理内容の両方の変更処理が行われると、ＣＰＵ１１は操作部１６に対してステップ５０１の表示を行わせる。ここでは、ステップ５０５で変更処理を行ったことをユーザが確認できるように表示するものである。ステップ５０２の問合せに対し、ユーザから操作部１６を介して肯定する旨の指示がなされたと判定すると、ＣＰＵ１１は、使用すべき処理指示情報の指示色と、それに対応する処理内容とを決定し、ＲＡＭ１８に登録する。
【００２７】
なお、ステップ５０２の判定は、ユーザに目視で原稿の内容（原稿に含まれている色）を確認させ、指示色の色成分と原稿に含まれる色成分とが類似していると判断される場合に、互いに異なるものとし、処理指示情報の抽出エラーを防止するものである。
【００２８】
また、ステップ５０２の確認の結果、原稿に含まれる色成分と指示色の色成分とが類似していると判定された場合、後述のように、原稿をセットするよう促す表示を操作部１６に行わせる。これに対し原稿がセットされたと判断した場合にモノクロコピーするようにしてもよい。これによっても、有彩色の色ペンで処理指示情報を付加した場合の処理指示情報の抽出エラーを防止することができる。
【００２９】
ＣＰＵ１１は、ステップ５０２において、指示色と処理内容がＯＫであったと判断したときには、ここで処理指示情報に用いる色成分を特定してＲＡＭ１８に記憶する。続いて、ＣＰＵ１１は、ユーザの手許にはチェック対象原稿（図２（ｃ））のみ存在しているかを問合せる表示を操作部１６に行わせる（ステップ５０３）。これは、処理指示書を作るときにテンプレートとなる原稿（図２（ａ）または（ｂ））が存在しているかを確認するものである。つまり、チェック対象原稿しかユーザの手許にないときに後述のようにチェック対象原稿から処理指示情報を書き込むための原稿を作成することができるようにするものである。ここでいうテンプレートとは正式なチェック対象原稿ではなく、ユーザが処理指示情報を書き加えることができるものを指す。ＣＰＵ１１は、ステップ５０３で操作部１６を介して、チェック対象原稿のみ存在している（テンプレートとなる原稿が存在しない）との応答を受けるとステップ５０４でスキャナ１５にチェック対象原稿をセットすることを促す表示を操作部１６に行わせる。ここでは、例えば「チェック対象原稿の１枚をスキャナにセットしてください。セットしたらＯＫボタンを押してください」という案内表示と、原稿がセットされたことを認識するためにＯＫボタンの表示を行う。ここでは、ＯＫボタンが押されたことで原稿が置かれたことをＣＰＵ１１が認識するものとするが、原稿台の下部に設けたフォトインタラプタや、原稿給送装置の原稿センサ等を用いてスキャナ１５に原稿がセットされたことを自動で認識するようにしてもよい。
【００３０】
ＣＰＵ１１は、ステップ５０４でＯＫボタンが押されと判断すると、ステップ５０６で、スキャナ１５によってチェック対象の原稿上の画像を読み取らせる。引き続き、ＣＰＵ１１は、スキャナ１５から入力された画像データを、モノクロ画像データに変換し、それをプリンタ１４に出力して記録紙へのモノクロコピー出力を行わせる。なお、ステップ５０６では、原稿をモノクロ化してプリンタ１４で印刷するものとしたがこれに限ることはない。読み取った原稿の画像の色を、指示色が含まれない他の色に変換してプリント１４することも可能である。例えば、読み取った原稿中の赤い文字を青い文字に変えて出力するなど色を変換して出力する。このほか、ＲＡＭ１８に予め色変換をすべき色を登録しておき、その登録色と同じ色が読み取った原稿にあった場合に変換するようにしてもよい。
【００３１】
ステップ５０７では、ＣＰＵ１１は、ステップ５０６でプリンタ１４によって出力された記録紙に、図２（ｂ）のような処理指示情報を書き込むことを促す表示を操作部１６に行わせる。ステップ５０３で、テンプレート原稿が存在する旨の応答があると、ステップ５０８で操作部１６にテンプレートに処理指示情報が既に記載されている（図２（ｂ））かどうかを問合せる表示を行う。この表示に対し、テンプレートに指示情報が記載されていないことを示すユーザからの応答を、操作部１６を介して受けるとＣＰＵ１１はステップ５０９でスキャナ１５にテンプレートをセットすることを促す表示を操作部１６に行わせる。ここでは、例えば「テンプレートをスキャナにセットしてください。セットしたらＯＫボタンを押してください」という案内表示と、ＯＫボタンの表示を行う。ここでは、ＯＫボタンが押されたことで原稿が置かれたことをＣＰＵ１１が認識するものとするが、原稿台の下部に設けたフォトインタラプタや、原稿給送装置の原稿センサ等を用いてスキャナ１５に原稿が置かれたことを自動で認識するようにしてもよい。
【００３２】
ステップ５０９でＯＫボタンが押されると、ステップ５１０に進み、ＣＰＵ１１は、テンプレートの原稿上の画像をスキャナ１５で読み取らせる。これによって得た画像データに対してステップ５１１において、指示色と同じ色成分の色が含まれているか判定するための解析・認識処理を行う。色成分の解析・認識処理は、例えば赤色が含まれるかを解析・認識する場合、赤の色相抽出を行って解析・認識する。この色成分の解析・認識は公知の種々の方法を採用することが可能である。また、色相以外のパラメータを用いてもよいし、他のパラメータを組合せてもよい。
【００３３】
ＣＰＵ１１は、ステップ５１２にて、ステップ５１１で解析・認識した色にＲＡＭ１８に登録された指示色と同じものが含まれているか判断をする。指示色とステップ５１１で解析・認識した色が同じであるかの判断は、完全一致のみでなく、ある範囲をもたせて同じと判断することも可能である。例えば、ＲＧＢ値が２５６段階で表されている場合、指示色のＲＧＢ値と比較し、プラスマイナス２０以内であれば同じと判断するようにしてもよい。なお、ここに示した以外の方法で同じ色と判断する方法を適用することも可能である。
【００３４】
ステップ５１２でＲＡＭ１８に登録された指示色と同じ色がテンプレートの画像に含まれていると判断されると、ＣＰＵ１１は、スキャナ１５にテンプレートをセットすることを促す表示を操作部１６に行わせる。ここでは、例えば「テンプレートをスキャナにセットしてください。セットしたらＯＫボタンを押してください」という案内表示と、ＯＫボタンの表示を行う。ここでは、ＣＰＵ１１は、ＯＫボタンが押されたことで原稿が置かれたことを認識するものとするが、原稿台の下部に設けたフォトインタラプタや、原稿給送装置の原稿センサ等を用いてスキャナ１５に原稿が置かれたことを自動で認識するようにしてもよい。
【００３５】
ステップ５１３でＯＫボタンが押されると、ステップ５１４に進み、ＣＰＵ１１は、スキャナ１５によってチェック対象の原稿上の画像を読み取らせる。ＣＰＵ１１は、スキャナ１５から入力された画像データを、モノクロ画像データに変換し、それをプリンタ１４に出力して記録紙へのモノクロコピー出力を行わせる。なお、ステップ５１４では、原稿をモノクロ化してプリンタ１４で印刷するものとしたがこれに限ることはない。これに代わる処理は上述（ステップ５０６）のように種々の方法を採用することができる。
【００３６】
ステップ５１５では、ＣＰＵ１１は、ステップ５１４でプリンタ１４によって出力された記録紙に、図２（ｂ）のような処理指示情報を書き込むことを促す表示を操作部１６に行わせる。
【００３７】
ステップ５１２でＲＡＭ１８に登録されている指示色と同じ色がテンプレートの画像に含まれていないと判断すると、ステップ５１６で、ＣＰＵ１１は、テンプレート原稿に、図２（ｂ）のような処理指示情報を書き込むことを促す表示を操作部１６に行わせる。
【００３８】
ステップ５０８では、ＣＰＵ１１は、操作部１６にテンプレートには既に処理指示情報が記載済みかどうかを確認する表示を行わせる。これに対し、テンプレートに指示情報が記載済であることを示す応答を、操作部１６を介して受けたと判断されると、ステップ５１７に進み、指示記載済テンプレートの原稿の画像をスキャナ１５で読み取らせる。ここでは、上述のモノクロコピー出力と同様の手順で原稿を読み取らせる。即ち、操作部１６に指示情報記載済みの原稿のセットを促す表示を操作部１６に行い、これに対し、ユーザが原稿をセットした後にＯＫボタンが押されるとスキャナ１５による原稿の読み取りを行わせる。ただし、ここではスキャナ１５で読み取って得た画像データのモノクロ画像データへの変換は行わない。ここで得た画像データは、ＲＡＭ１８に記憶しておく。
【００３９】
次に、ステップ５１８で、スキャナ１５から入力された画像データから処理指示情報の解析・認識処理を行う。ここでは、まず、ステップ５０２で決定された指示色が原稿のどこにあるかを解析して、その部分の色を認識することで、色毎に対象領域の位置を特定する。ここで特定される位置は、原稿上のどの位置にどの大きさの処理対象の領域が存在するかを判別可能なものである。例えば、位置は座標によって特定する。
【００４０】
図５に、図２（ｂ）の処理指示領域３１である、チェック者が青い色のペンで書き込んだ領域を示す。処理指示領域３１は、ステップ５１８で閉領域として認識され、左上端の開始座標７０１と、幅７０２、高さ７０３がチェック領域情報として抽出される。Ｘ−Ｙ座標の位置が（Ｙ，Ｘ）と表されるとき、開始座標７０１は（１１０８，９６３）という座標に、幅７０２は８３４、高さ７０３は１２８という値になる。
【００４１】
また同様に、チェック者が緑色のペンで書き込んだ処理指示領域３２は、開始点（１２４０，９６３）、幅は７４０、高さは１００となる。チェック者が赤色のペンで書き込んだ処理指示領域３３は、開始点（２９５５，２０５０）、幅は２００、高さは１７１となる。さらに、これら処理指示領域３１、３２、３３からは、指示色の判定が行われ、処理コードが抽出される。処理指示領域３１は青い色のペンで書き込まれた領域であるから、処理コードは１となる。同様にして、処理指示領域３２は緑色のペンで書き込まれた領域であるから処理コードは０、処理指示領域３３は赤色のペンで書き込まれた領域であるから処理コードは２となる。
【００４２】
そして、ここで特定された位置と、ステップ５０２で決定した処理内容とを対応付けてＲＡＭ１８に記憶する。
【００４３】
続いて、ステップ５１９で、ＣＰＵ１１は、ステップ５１８で解析・認識した結果を操作部１６に表示させる。例えば、特定した処理指示情報に対応する領域の座標やその領域に対する処理内容を表示する。また、読み取った原稿のサムネイル画像を表示し、その画像と対応させてどの位置に処理指示情報があり、その処理内容がどういったものかを識別可能に表示するようにしてもよい。そしてステップ５２０で、ＣＰＵ１１は、ステップ５１９で表示した内容で正しいかどうかをユーザに確認する表示を操作部１６に行わせる。この確認に対し、ユーザから否定する応答を、操作部１６を介して受けると、ステップ５２５に進み、ＣＰＵ１１は、ステップ５１７でスキャナ１５により読み取ったテンプレート画像をプリンタ１４でモノクロ出力するか確認する表示を操作部１６に行わせる。
【００４４】
そして、これに肯定する応答を、操作部１６を介して受け取ると、ステップ５２６に進み、ステップ５１７でスキャナ１５により読み取った原稿の画像をモノクロ画像データに変換し、プリンタ１４でモノクロコピー出力を行わせる。
【００４５】
即ち、正しく処理指示情報が抽出できなかった場合に、処理指示情報が付加された処理指示書をモノクロコピーする。これを用いて再び処理指示情報を付加させる。なお、ステップ５２６では、原稿をモノクロ化してプリンタ１４で印刷するものとしたがこれに限ることはない。これに代わる処理は上述（ステップ５０６）のように種々の方法を採用することができる。
【００４６】
ステップ５２７では、ＣＰＵ１１は、ステップ５２６でプリンタ１４によって出力された記録紙に、処理指示情報を書き込むことを促す表示を操作部１６に行わせる。
【００４７】
ステップ５２８では、ステップ５２５でユーザからモノクロコピー出力を行わないことを示す指示を、操作部１６を介して受けると、ＣＰＵ１１は、処理指示書を新たに作成するかを確認する表示を操作部１６に行わせる。この確認に対し、新たに処理指示書を作成することを示す指示を、操作部１６を介して受けると、ステップ５２９に進み、ＣＰＵ１１は、新たに作成した処理指示書をスキャナにセットするように促す表示を操作部１６に行わせる。一方、ステップ５２８の確認に対し、新たに処理指示書を作成しないことを示す指示を、操作部１６を介して受けると本処理を終了させる。
【００４８】
ステップ５２７、ステップ５２９の表示に引き続き、ユーザが原稿をセットし、操作部１６を介してＯＫボタンを押すなど、読み取りの指示が行われると、先に説明したステップ５１７の処理を再び実行する。
【００４９】
そして、ステップ５２０で解析結果が正しかったことを示す応答を、操作部１６を介して受け取ると、当該解析内容を処理指示情報の抽出結果としてＲＡＭ１８に記憶する。続いて、ステップ５２１に進み、ＣＰＵ１１は、スキャンチケットを作成するか否か問合せる表示を、操作部１６に行わせる。この表示に対し、肯定する応答を、操作部１６を介して受けると、ステップ５２２に進み、ＣＰＵ１１は解析内容のコード化を行う。解析内容のコード化とは、ステップ５１９で表示した解析結果を、例えば２次元コード（例えばＱＲコード等）を使ってコード化することを指す。コード化される内容は、処理指示された領域とその領域に対する処理内容である。
【００５０】
例えば、図２（ｃ）の処理指示書の場合、処理指示領域３１〜３３の処理指示情報を、開始点のＸ座標、Ｙ座標、幅、高さ、処理コードの順にカンマ区切りで並べた文字列は次のようになり、その文字列をＱＲコードにエンコードしたものが図６である。
「９６３，１１０８，８３４，１２８，１，９６３，１２４０，７４０，１００，０，２０５０，２９５５，２００，１７１，２」
また、ここでは２次元コードを例に説明するがこれ以外の方法でコード化したものとしてもよく、画像処理装置１００が解析・認識可能なものであればこれに限ることはない。ステップ５２３では、ＣＰＵ１１はステップ５２２で作成したコード化したものを画像としてプリンタ１４で記録紙に出力させ印刷する。
【００５１】
ここで印刷されたスキャンチケットを用いて、チェック対象の原稿のチェックを実行することが可能である。ただし、ステップ５２０で解析結果が正しいと判断された場合は、ステップ５１７でスキャナ１５により読み取らせた処理指示書は正しく認識されたことを示すので、ステップ５２１〜５２３の処理を行わず、この処理指示書をスキャンチケットとしてもよい。この場合、チェック時に処理指示書から処理内容等を認識するものとする。
【００５２】
また、ステップ５２１の問合せに対し、否定する応答を、操作部１６を介して受けると、ＣＰＵ１１は、ステップ５２０で登録した解析内容を特定するためのＩＤを操作部１６に表示させる。これはチェック原稿のチェックを行わせる際に、この解析内容を特定し、ＲＡＭ１８から読み出して利用するためである。このＩＤはＣＰＵ１１が提示する以外、ユーザが所望のＩＤを操作部１６から指定するものであってもよい。ここで決定したＩＤと解析内容とは対応付けられてＲＡＭ１８に記憶される。その後、ステップ５２４に進む。
【００５３】
ステップ５２４では、以上のように認識した処理指示情報とそれに対応する処理内容に従ってチェック対象の原稿のチェックを行う。
【００５４】
以上の処理により、原稿に含まれる色成分を指示色の色成分と異ならせるよう変換して処理指示情報をユーザに付加させるための原稿を印刷させることができる。これにより、処理指示書に付加された処理指示情報を正しく認識することができるようにできる。即ち、処理指示情報の認識エラーを低減させることができる。また、その際の作業をユーザに対し適切に案内（例えば、モノクロコピー出力を促す案内の通知）することができるので、ユーザによる作業ミスを低減させることができる。なお、以上説明したフローチャートに示した処理は全てを実行する必要はなく、一部の処理のみ実行するようにしてもよい。
【００５５】
次に、以上の様に作成したスキャンチケットを用いて、抽出した処理指示情報に応じた原稿のチェックを行う手順（ステップ５２４）について図４にて説明する。
【００５６】
図４は、本実施例における画像処理装置の処理全体の流れを示したフローチャートであり、以下、本実施例におけるチェック処理の動作についてフローチャートを用いて説明する。
【００５７】
まず、ステップ２５０１において、ＣＰＵ１１は、操作部１６に後述するスキャンチケットを作成するか否かを表示する。
【００５８】
次に、ステップ２５０２において、操作部１６からスキャンチケットを作成する旨の指示を受け取ったＣＰＵ１１は、ステップ２５０３に進む。また、チェック者が既にスキャンチケットを所持しているなどの理由から、ＣＰＵ１１が、操作部１６からスキャンチケットを作成しない旨の指示を受け取った場合には、スキャンチケット作成処理を行わずにステップ２５０４に進む。
【００５９】
ステップ２５０３では、ＣＰＵ１１が、前述の処理指示書からスキャンチケットを作成するスキャンチケット作成処理を行い、ステップ２５０４に進む。なお、スキャンチケットおよびスキャンチケット作成処理の詳細については上述した通りである。
【００６０】
次に、ステップ２５０４において、ＣＰＵ１１は、前記スキャンチケットを一枚目に、二枚目以降にチェック対象の原稿をスキャンすることを、操作部１６へ表示させ、ユーザに原稿のセットを促す。
【００６１】
次に、ステップ２５０５において、ＣＰＵ１１は、原稿がセットされたことを不図示のセンサにより検知するとスキャナ１５にスキャンチケットおよびスキャン対象の原稿を読み込み、ＨＤＤ１３に画像データを格納するよう指示を送る。なお、本実施例では、説明を簡単にするためにチェック対象の原稿が図３（ｃ）のみの場合を説明するが、チェック対象の原稿が複数あっても良い。
【００６２】
次に、ステップ２５０６において、ＣＰＵ１１は、ＨＤＤ１３に格納されたスキャンチケットの画像データを読み出し、スキャンチケットの解析を行う。スキャンチケットには複数の処理指示情報がＱＲコードにエンコードされて印字されている。なお、各処理指示情報は、どの領域をチェックするかというチェック領域情報と、そのチェック領域をどのような処理方法でチェックするかを示す処理コードで構成されている。ＣＰＵ１１は、スキャンチケットの画像データに含まれるＱＲコードの位置を検出し、ＱＲコードをデコードして、前記複数の処理指示情報を取得する。本実施例における前記処理指示情報のチェック領域情報は、画像データ上の座標を表し、処理領域の開始点のＸ−Ｙ座標と、開始点からの幅と高さで構成されている。また、前記処理コードとは、チェック領域をどのような処理方法でチェックするかを表しており、前記チェック領域に対する処理方法が対応付けられた番号である。
【００６３】
本実施例においては、チェック領域に記載があること（処理コード：０）、空欄であること（処理コード：１）、また、朱印があること（処理コード：２）をチェックする三種類の処理方法が処理コードに対応づけられている。なお、ステップ２５０５において、複数のチェック対象の原稿が読み取られた場合は、一枚目に置かれたスキャンチケットに記載の処理指示情報が、二枚目以降のチェック対象の原稿全てに対して適用される。前記処理指示情報は、本チェック処理が終えるまで有効となる。
【００６４】
次に、ステップ２５０７において、ＣＰＵ１１は、ＨＤＤ１３に格納されたチェック対象の画像データを順次読み出す。
【００６５】
次に、ステップ２５０８において、ＣＰＵ１１は、前記複数の処理指示情報から一つを選択する。そして、ステップ２５０７で読み出した画像データから、前記処理指示情報のチェック領域情報が示す開始点と幅、高さを用いて、チェック領域を順次取得する。
【００６６】
次に、ステップ２５０９において、ＣＰＵ１１は、ステップ２５０８で用いた処理指示情報から、チェック領域に対する処理コードを確認する。処理コードが０および１であった場合はステップ２５１０に、処理コードが２であった場合にはステップ２５１１に進む。
【００６７】
ステップ２５１０で、ＣＰＵ１１は、取得したチェック領域内に記載があるかをチェックする処理を行う。本実施例では、ステップ２５０８で取得したチェック領域内の画像データをＨＬＳ色空間へと変換し、輝度Ｌが所定の明るさよりも暗い画素のチェック領域内に占める割合によって、チェック領域に記載があるか否かを判断することができる。本実施例において、画像データから取得したチェック領域の画像データはＲＧＢ色空間である。よって、輝度Ｌの値が５０％よりも小さい画素のチェック領域に占める割合を求め、その画素が占める割合が１割以上となったとき、チェック領域に記載があったと判断する。なお、前記判定の方法に限るものではく、記載があるかどうかが判定できれば良いので、例えば、主走査方向に前記暗い画素が連続する長さなどで、記載があるかどかを判定しても良い。また、ここで用いたＲＧＢ色空間からＨＬＳ色空間への変換は公知の技術であるため、ここでの詳細な説明は省く。
【００６８】
次に、ステップ２５１１において、ＣＰＵ１１は、取得したチェック領域内に朱印があるかをチェックする処理を行う。本実施例では、ステップ２５１０と同様の方法でチェック領域をＨＬＳ色空間へと変換し、彩度Ｓと色相Ｈが一定の範囲内にある画素の処理領域内に占める割合によって、朱印があるかを判定することができる。つまり、本実施例においては、彩度Ｓが２０％以上であり、且つ色相Ｈが３０度以下、あるいは３３０度以上であるときの画素がチェック領域に占める割合を求め、その割合が１割以上となったとき、朱印があると判断する。なお、前記判定の方法に限るものではく、記載があるかどうかが判定できれば良いので、例えば、主走査方向に前記彩度Ｓと色相Ｈが一定の範囲内にある画素が連続する長さなどで、記載があるかどかを判定しても良い。
【００６９】
次に、ステップ２５１２において、ＣＰＵ１１は、ステップ２５１０、または２５１１で求めた前記割合が一定値以上であり、且つチェック領域に対する処理コードが０もしくは２であるか否かを判定し、前記条件に一致する場合はステップ２５１３へと進む。また、前記条件に一致しない場合はステップ２５１４へと進む。
【００７０】
ステップ２５１４で、ＣＰＵ１１は、ステップ２５１０、または２５１１で求めた前記割合が一定値よりも小さく、且つチェック領域に対する処理コードが１であるか否かを判定し、前記条件に一致する場合はステップ２５１３へと進む。また、前記条件に一致しない場合はステップ２５１５へと進む。
【００７１】
次に、ステップ２５１３において、ＣＰＵ１１は、ステップ２５０８で取得したチェック領域のチェック結果がＯＫであったことを、ワークメモリであるＲＡＭ１８に記憶する。
【００７２】
また、ステップ２５１５において、ＣＰＵ１１は、ステップ２５０８で取得したチェック領域のチェック結果がＮＧであったことをＲＡＭ１８に記憶する。
【００７３】
次に、ステップ２５１６において、ＣＰＵ１１は、ステップ２５０７で読み出した画像データに対して、複数ある処理指示情報の全てをチェックし終えたかを判定し、終えた場合にはステップ２５１７に進む。また、終えていない場合にはステップ２５０８に進む。
【００７４】
次に、ステップ２５１７において、ＣＰＵ１１は、ステップ２５０５で読み込んだチェック対象の原稿の画像データ全てに処理を終えたか否かを判定し、終えた場合にはステップ２５１８へと進む。また、終えていない場合にはステップ２５０７に進む。
【００７５】
次に、ステップ２５１８において、ＣＰＵ１１は、全てのチェック対象の原稿の画像データに対して全てのチェック領域への処理が終了すると、それらのチェック結果と、それを表示する旨を操作部１６に送信し、チェック処理を終了する。ここで操作部１６に表示するチェック結果は、ステップ２５０５で読み取ったチェック対象の原稿で、一つでもチェック領域がＮＧであった場合に、本実施例におけるチェック処理がＮＧであったことを通知する。なお、チェック結果の表示内容や方法はこれに限るものではなく、例えば、どの原稿のどのチェック領域がＮＧであったかなど、より詳細な情報を表示しても良い。また、チェック結果から画像データを生成し、プリンタエンジン１４に送信することで、レポートなどを出力しても良いことは言うまでもない。
【００７６】
次に、サムネイル画像生成処理を詳細に説明する。
【００７７】
図７は、図３のステップ５１９による本実施例におけるサムネイル画像生成処理のフローチャートであり、図８は、本実施例におけるサムネイル画像の一例である。
【００７８】
尚、このフローチャートはＣＰＵ１１がＲＯＭ１９に格納されたプログラムをＲＡＭ１８にロードして実行することで実現される。まず、ステップ９０１において、ＣＰＵ１１は、処理指示書の画像データから、チェック者によって色ペンで描かれた処理指示の矩形を順次削除する。具体的には、ステップ５１８で取得した処理指示情報を用いて、前記描かれた処理指示の矩形に対応する画像データ上の領域を特定し、前記領域に含まれる指示色の画素を処理指示書の下地色で置き換えることで、画像データから処理指示の矩形を削除する。
【００７９】
次に、ステップ９０２において、ＣＰＵ１１は、ステップ５１８で取得した処理指示情報を用いて、前記描かれた処理指示の矩形が削除された画像データの領域に、直線で構成される矩形を指示色で描く。前記矩形の描く位置は、処理指示情報のチェック領域情報に含まれる開始点、幅、高さの情報から得ることが出来る。本実施例において、指示色はある程度の範囲で色が設定されているため、ここで矩形を描くための色は、指示色の輝度Ｌが５０％、彩度Ｓが１００％、色相Ｈがその範囲の中心に位置する色を用いる。例えば、図２（ｂ）の処理指示書の場合、処理指示領域３１のチェック者によって描かれた矩形は削除され、前記処理指示情報に従って青の色ペンの指示色で矩形１００１が描かれる。また同様に、処理指示領域３２と処理指示領域３３のチェック者によって描かれた矩形も削除され、前記処理指示情報に従って、緑の色ペンの指示色で矩形１００２が、赤の色ペンの指示色で矩形１００３が描かれる。
【００８０】
次に、ステップ９０３において、ＣＰＵ１１は、ステップ５１８で取得した全ての処理指示情報に対して上記処理を終えたかを判定し、終えている場合はステップ９０４に進む。また、終えていない場合は、ステップ９０１に進む。
【００８１】
次に、ステップ９０４において、ＣＰＵ１１は、ステップ９０３までの処理で得られた画像データを縮小処理してサムネイル画像１０００を生成する。まず、ＣＰＵ１１は、ステップ５１９で操作部１６に表示させるための大きさへと縮小処理を行った、操作部表示用のサムネイル画像を生成する。さらに、前記ステップ９０３までお処理で得られた処理指示の矩形が削除された画像データを、５２３でスキャンチケットを生成するための大きさへと縮小処理を行って、スキャンチケット生成用のサムネイル画像を生成して、サムネイル画像生成処理を終了する。本実施例において、縮小処理はバイキュービック法を用いるものとするが、これに限るものではなく、二アレストネイバー法やバイキュービック法などの手法を用いても良いことは言うまでもない。図９は、本実施例における、図２（ｂ）の処理指示書から生成したスキャンチケットの一例である。
【００８２】
スキャンチケットは、処理指示情報がコード化された図６のＱＲコード８００と、サムネイル画像１０００、処理指示情報１１０１〜１１０３とで構成される。処理指示情報１１０１は、図２（ｂ）の処理指示領域３１から取得したチェック領域情報（チェック領域の開始点の座標、幅、高さ）と処理コードに対応する処理方法が文字で書かれたものである。また、処理指示情報１１０２には、処理指示領域３２から取得したチェック領域情報と処理コードに対応する処理方法が、処理指示情報１１０３には、処理指示領域３３から取得したチェック領域情報と処理コードに対応する処理方法が文字で書かれている。サムネイル画像１１００は、前述のサムネイル画像生成処理によって得られる図２（ｂ）の処理指示書から生成されたサムネイル画像である。サムネイル画像１０００は、前述の通り、チェック者が処理指示書に描いた処理指示の矩形を削除し、処理指示情報に従って指示色で矩形が描かれた画像データを、スキャンチケット用に縮小処理したものである。
【００８３】
次に、図１０、図１１を用いて、前述の指示色変更処理を詳細に説明する。
【００８４】
図１０は、本実施例における指示色変更処理のフローチャート、図１１は、本実施例における指示色変更用紙の一例である。尚、このフローチャートはＣＰＵ１１がＲＯＭ１９に格納されたプログラムをＲＡＭ１８にロードして実行することで実現される。
【００８５】
まず、ステップ１２０１において、ユーザにより操作部１６から指示色変更処理の指示が入力されると、ＣＰＵ１１は、図１１（ａ）に示す指示色変更用紙の画像データとプリントする旨をプリンタエンジン１４に送信する。また、ＣＰＵ１１は、プリントした指示色変更用紙上に任意の色ペンで記入する旨の表示を行う指示を制御部１６に送信する。前記指示色変更用紙は、画像処理装置１００が実施可能なチェック領域に対する複数の処理方法と、それら処理方法に指示色を対応付ける指示色指定領域で構成されている。それぞれの指示色指定領域は、黒（輝度Ｌが０％）の色で周囲を囲むように矩形が描かれている。図１１（ａ）の指示色指定領域１３０１は、チェック領域に記載があることをチェックする処理（処理コード：０）に対応する領域である。前述のように、この処理方法には予め緑の色ペン（色相Ｈが９０度以上、１５０度以下、かつ彩度Ｓが２０％以上）が指示色として対応付けられている。指示色指定領域１３０２は、チェック領域が空欄であることをチェックする処理（処理コード：１）に対応する領域であり、予め青の色ペン（色相Ｈが２１０度以上、２７０度以下、かつ彩度Ｓが２０％以上）が指示色として対応付けられている。指示色指定領域１３０３は、チェック領域に朱印があることをチェックする処理（処理コード：２）に対応する領域であり、予め赤の色ペン（色相Ｈが３０度以下、３３０度以上、かつ彩度Ｓが２０％以上）が指示色として対応付けられている。
【００８６】
次に、ステップ１２０２において、ＣＰＵ１１は、任意の色ペンで書き込みが行われた指示色変更用紙をスキャンする旨の表示を行うよう、操作部１６に指示を送信する。
【００８７】
次に、ステップ１２０３において、ＣＰＵ１１は、スキャナ１５に指示色変更用紙を読み取り、ＨＤＤ１３に画像データを格納するよう指示を送信する。
【００８８】
次に、ステップ１２０４において、ＣＰＵ１１は、ＨＤＤ１３から前記読み取った指示色変更用紙の画像データを取得し、前記読み取った指示色変更用紙の指示色指定領域の画像データから色情報を得る。図１１（ｂ）は、任意の色ペンで書き込みが行われ、スキャナ１５で読み取られた指示色変更用紙の一例である。図１１（ｂ）の指示色変更用紙の指示色変更領域には色ペンで描かれた領域１３０４〜１３０６が存在する。前記色情報は、指示色指定領域にある下地の色と、図１１（ａ）の指示色指定領域の周囲を囲む矩形の色以外の画素を検出し、それら画素の平均値をＲＧＢ色空間で求めた後、ＨＬＳ色空間へと変換することで得ることができる。本実施例において、下地の色は、理想的にＲＧＢで（２５５，２５５，２５５）、ＨＬＳ色空間で輝度Ｌが１００％、彩度Ｓが０％の白とする。また、指示色指定領域の周囲を囲む矩形の色は、ＲＧＢ色空間で（０，０，０）、ＨＬＳ色空間で輝度Ｌが０％、彩度Ｓが０％の黒である。なお、下地の色は、画像処理装置１００が用いる紙の色によって変化し、また、指示色指定領域の周囲を囲む色は、黒でなくても良いことは言うまでもない。
【００８９】
次に、ステップ１２０５において、ＣＰＵ１１は、前記複数ある指示色指定領域の全てから色情報を読み取ったか否かを判断し、全てを読み取っていればステップ１２０５に、そうでなければステップ１２０４に進む。
【００９０】
次に、ステップ１２０６において、ＣＰＵ１１は、読み取った色情報に無効なものがあるか否かを判断する。無効な色と判定されるのは、ステップ１２０４で指示色指定領域内が、下地の色および指示色指定領域の周囲を囲む矩形の色のみであった場合と、読み取られた色情報が、画像処理装置１００に設定された前記二つの色とみたす範囲に非常に近い色であった場合である。ＣＰＵ１１は、読み取った色情報のうち、一つでも無効な色があると判断した場合に、ステップ１２０７に進み、そうでない場合にはステップ１２０８に進む。本実施例においては、白（輝度Ｌが１００％、彩度Ｓが０％）および黒（輝度Ｌが０％、彩度Ｓが０％）が無効な指示色となるため、彩度Ｓが１０％以下で、輝度Ｌが１０％以下もしくは９０％以上となる色を、上記の「非常に近い色」と判断する。
【００９１】
ステップ１２０７では、ＣＰＵ１１が、ユーザに再度手書きにより指示色変更処理を行うか否かを選択させるよう表示させるように、操作部１６に送信する。ＣＰＵ１１は、操作部１６から再処理の指示を受信すると、ステップ１２０１に進む。また、ＣＰＵ１１は、操作部１６から再処理をしないと指示を受けると、その無効な色情報を予め設定されていた指示色で置き換え、ステップ１２０８に進む。すなわち、例えば指示色指定領域１３０１で無効な指示色が読み取られた場合、指示色指定領域１３０１の対応する処理方法に予め設定されていた緑の色ペンの色相Ｈの範囲の中央に位置する値を読み取られた色情報として以降の処理を行う。
【００９２】
次に、ステップ１２０８において、ＣＰＵ１１は、複数の色情報同士に近い色があるか否かを判定し、近い色がある場合にはステップ１２０９に進み、そうでない場合にはステップ１２１１に進む。本実施例では、それぞれの色情報の色相Ｈが±３０度以内にある場合は、近い色であると判定する。なお、この±３０度は画像処理装置１００により近い色として判定するために予め設定された閾値である。
【００９３】
次に、ステップ１２０９において、ＣＰＵ１１は、再度対応付けの変更を行うために指示色変更処理を行うか否かを選択するよう表示する旨を、操作部１６に送信する。ＣＰＵ１は、操作部１６から再処理の指示を受信すると、ステップ１２０１に進む。また、ＣＰＵ１１は、操作部１６から再処理をしないと指示を受けた場合には、ステップ１２１０に進む。
【００９４】
次に、ステップ１２１０において、ＣＰＵ１１は、前記複数の色情報のうち、近いと判断された色情報が、指示色として設定されるときの範囲を縮小する。
【００９５】
次に、ステップ１２１１において、ＣＰＵ１１は、前記指示色指定領域から得られた複数の色情報を、所定の範囲に拡大して、それぞれ対応する処理方法の指示色として設定することで、指示色の変更を行う。本実施例では、前記色情報の色相Ｈを±３０度の範囲、彩度Ｓは２０％以上としたものが指示色となる。このとき、ステップ１２１０において指示色の範囲が縮小された色情報であった場合には、色相Ｈの範囲を前記±３０度よりも小さくし、近い色情報が互いに重ならない範囲で指示色を設定する。
【００９６】
例えば、図１１（ｂ）において、色ペンで描かれた領域１３０４は、橙の色ペン（色相Ｈが３０度、彩度Ｓが１００％、輝度Ｌが１００％）で描かれている。また、領域１３０５は、黄の色ペン（色相Ｈが６０度、彩度Ｓが１００％、輝度Ｌが１００％）で、領域１３０６は、紫の色ペン（色相Ｈが２７０度、彩度Ｓが１００％、輝度Ｌが１００％）で描かれている。これらは、ステップ１２０４で色情報が読み取られ、橙の色ペンと黄の色ペンは、ステップ１２０８で近い色であると判定される。ステップ１２０９で再処理を選択せずにステップ１２１０に進むと、これら２色の色相の設定範囲は±１５度に縮小される。最後に、ステップ１２１１において、上記色ペンに対応する指示色に変更される。つまり、チェック領域に記載があることをチェックする処理（処理コード：０）には橙の色ペン（色相Ｈが１５度以上、４５度未満、かつ彩度Ｓが２０％以上）が指示色として対応付けられる。チェック領域が空欄であることをチェックする処理（処理コード：１）には黄の色ペン（色相Ｈが４５度以上、７５度以下、かつ彩度Ｓが２０％以上）が指示色として対応付けられる。チェック領域に朱印があることをチェックする処理（処理コード：２）には紫の色ペン（色相Ｈが２４０度以下、３００度以上、かつ彩度Ｓが２０％以上）が指示色として対応付けられる。
【００９７】
以上説明したように、第１の実施例によれば、指示色変更用紙にユーザが手書きで任意の色ペンを用いて記入することによって、複数の処理方法に対応する指示色を、一度に変更することが可能となる。そのため、ユーザの利便性を向上させることが出来る。さらに、ユーザが手書きで実際の紙に任意の色ペンを用いて記入を行い、その紙をスキャナが読み取ることで指示色の変更を行うため、様々な色ペンを用いることが可能となると共に、装置が処理指示情報を取得する際の指示色の判定を、精度良く行うことが出来る。
【００９８】
なお、本実施例において、スキャンチケット作成処理で処理指示情報をＱＲコードに変換しているが、処理指示情報をコード化する方法はこれに限るものではなく、例えばカラーバーコードなどを用いてエンコードしても良い。また、この場合には、図５のステップ５０６において、ＱＲコードのデコードを行うのではなく、前記コード化手法に対応したデコードを行うことで処理指示情報を得ることは言うまでもない。
【実施例２】
【００９９】
本実施例において、前述の実施例とは図３のスキャンチケット作成処理の一部構成が異なる。そのため、前述の実施例と同様な部分に関しては、同一番号を付けて説明を省略し、異なる部分のみを以下、説明する。
【０１００】
図１２は、本実施例におけるスキャンチケット作成処理のフローチャートであり、以下、本実施例におけるスキャンチケット作成処理について、フローチャートを用いて説明する。
本実施例では、実施例１で説明した図３のスキャンチケット作成処理に、指示色の自動キャリブレーション機能を追加する。なお、ステップ５０１〜ステップ５１９は前述の実施例と同様であるため説明を省く。
【０１０１】
ステップ５２０において、ＣＰＵ１１は、操作部１６から処理指示情報が正しいか否かの判断を受け取り、処理指示情報が正しいと判断された場合にはステップ５２１へ進むが、正しくないと判断された場合にはステップ１４０１に進む。
【０１０２】
次に、ステップ１４０１において、ＣＰＵ１１は、ステップステップ５２０で処理指示情報が正しくないと判断された回数をカウントし、その回数が所定回数未満であるかを判断する。前記カウントが所定回数未満である場合は、ステップ５１７へと戻り、再度スキャンチケット作成処理を行う。一方、カウントが所定回数以上となった場合、ＣＰＵ１１は、ステップ５２５に進む。なお、前記所定回数は、予め５回などの回数が設定されているが、ユーザによって別途設定されても良い。
【０１０３】
次に、ステップ５２３において、処理は、ステップ５１８で取得した指示処理情報と、ステップ５２２で変換したＱＲコード、ステップ５１９で生成したサムネイル画像とからなるスキャンチケットの画像データを生成する。ＣＰＵ１１は、生成したスキャンチケットの画像データと共に、プリントする旨をプリンタエンジン１４に送信して、スキャンチケット作成処理を終了する。
【０１０４】
以上説明したように、第２の実施例によれば、処理指示情報を取得した結果に不備がある場合、その回数をカウントし、所定の回数以上正しくない（不備がある）という結果になった場合に、自動的に指示色変更処理を行う。これにより、指示色情報の取得精度を高精度に保つことが可能となる。
【０１０５】
（その他の実施形態）
本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。また本発明の目的は、前述の実施形態の機能を実現するプログラムコードを記録した記録媒体を、システムあるいは装置に供給し、そのシステムあるいは装置のコンピュータが記憶媒体に格納されたプログラムコードを読み出し実行することによっても達成される。この場合、記憶媒体から読み出されたプログラムコード自体が前述した実施形態の機能を実現することになり、そのプログラムコード自体およびプログラムコードを記憶した記憶媒体は本発明を構成することになる。
【０１０６】
また、本発明には、プログラムコードの指示に基づき、コンピュータ上で稼働しているオペレーティングシステム（ＯＳ）などが実際の処理の一部または全部を行い、その処理によって前述した実施形態の機能が実現される場合も含まれる。さらに、記憶媒体から読み出されたプログラムコードが、コンピュータに挿入された機能拡張カードやコンピュータに接続された機能拡張ユニットに備わるメモリに書込まれた場合についても、本発明は適用される。その場合、書き込まれたプログラムコードの指示に基づき、その機能拡張カードや機能拡張ユニットに備わるＣＰＵなどが実際の処理の一部または全部を行い、その処理によって前述した実施形態の機能が実現される。
【図１】
2010211465.tif 000003
【図２】
2010211465.tif 000004
【図３】
2010211465.tif 000005
【図４】
2010211465.tif 000006
【図５】
2010211465.tif 000007
【図６】
2010211465.tif 000008
【図７】
2010211465.tif 000009
【図８】
2010211465.tif 000010
【図９】
2010211465.tif 000011
【図１０】
2010211465.tif 000012
【図１１】
2010211465.tif 000013
【図１２】
2010211465.tif 000014